【手続補正書】
【提出日】平成18年2月8日(2006.2.8)
【手続補正１】
【補正対象書類名】特許請求の範囲
【補正対象項目名】全文
【補正方法】変更
【補正の内容】
【特許請求の範囲】
【請求項１】
普段は第一の骨に関節接合している第二の骨の関節接合面を彫刻するための彫刻装置であって、骨彫刻工具を具備していて、該骨彫刻工具が第二の骨の関節接合面を彫刻するための位置で骨彫刻工具を第一の骨に取り付けるための取付部を含んでいる、彫刻装置。
【請求項２】
取付部への取り付けのためのマウントを更に具備していて、該マウントが大腿骨への取り付けに適するようにされた、請求項１に記載の彫刻装置。
【請求項３】
骨彫刻工具が、寛骨臼の関節接合面を彫刻するための位置で、大腿骨に取り付くように構成されている、請求項１に記載の彫刻装置。
【請求項４】
取付部が、大腿骨への直接的取り付けに適するようにされている、請求項３に記載の彫刻装置。
【請求項５】
取付部が、大腿骨への間接的取り付けに適するようにされている、請求項３に記載の彫刻装置。
【請求項６】
取付部が、試験大腿骨への取り付けに適するようにされている、請求項５に記載の彫刻装置。
【請求項７】
取付部が、大腿骨ブローチへの取り付けに適するようにされている、請求項５に記載の彫刻装置。
【請求項８】
取付部が、大腿骨ステムへの取り付けに適するようにされている、請求項５に記載の彫刻装置。
【請求項９】
骨彫刻工具が、回転するように設計されている、請求項３に記載の彫刻装置。
【請求項１０】
骨彫刻工具が、振動するように設計されている、請求項３に記載の彫刻装置。
【請求項１１】
骨彫刻工具が、半球リーマを具備している、請求項３に記載の彫刻装置。
【請求項１２】
骨彫刻工具を駆動するための駆動機構を更に含む、請求項３に記載の彫刻装置。
【請求項１３】
駆動機構がマウントに一体化している、請求項１２に記載の彫刻装置。
【請求項１４】
駆動機構が試験大腿骨に一体化している、請求項１２に記載の彫刻装置。
【請求項１５】
駆動機構が、大腿骨ステムへの取り付けのために構成されている、請求項１２に記載の彫刻装置。
【請求項１６】
骨彫刻工具が、伸長に適するようにされている、請求項３に記載の彫刻装置。
【請求項１７】
骨彫刻工具が回転の軸を有していて、伸長が回転の軸に沿っている、請求項１６に記載の彫刻装置。
【請求項１８】
骨彫刻工具の伸長のための送りねじを更に含んでいる、請求項１６に記載の彫刻装置。
【請求項１９】
骨彫刻工具の伸長のためのシムを更に含んでいる、請求項１６に記載の彫刻装置。
【請求項２０】
骨彫刻工具の伸長のための空気動力装置を更に含んでいる、請求項１６に記載の彫刻装置。
【請求項２１】
駆動機構がギアーボックスを具備している、請求項１２に記載の彫刻装置。
【請求項２２】
駆動機構がウォームとウォーム歯車との組み合わせを具備している、請求項１２に記載の彫刻装置。
【請求項２３】
駆動機構が、かさ歯車の組み合わせを具備している、請求項１２に記載の彫刻装置。
【請求項２４】
駆動機構がモータを含んでいる、請求項１２に記載の彫刻装置。
【請求項２５】
駆動機構をモータに接続するためのフレキシブル駆動軸を更に含んでいる、請求項１２に記載の彫刻装置。
【請求項２６】
モータが外科用動力ドリルである、請求項２４に記載の彫刻装置。
【請求項２７】
普段は関節内の第一の骨に関節接合している第二の骨の関節接合面の彫刻方法であって：
骨彫刻工具を準備する段階と；
第二の骨の関節接合面を彫刻するための位置で、骨彫刻工具を第一の骨に取り付ける段階と；
骨彫刻工具を第二の骨に整列させる段階と；
骨彫刻工具を第二の骨の関節接合面に係合させることによって第二の骨の関節接合面を彫刻する段階と；を含んでなる彫刻方法。
【請求項２８】
骨彫刻工具を第一の骨に取り付ける段階が、骨彫刻工具をマウントに取り付けて、該マウントを第一の骨に取り付ける段階を含んでいる、請求項２７に記載の彫刻方法。
【請求項２９】
骨彫刻工具を第一の骨に取り付ける段階が、骨彫刻工具を第一の骨に直接に取り付ける段階を含んでいる、請求項２７に記載の彫刻方法。
【請求項３０】
骨彫刻工具を第一の骨に取り付ける段階が、骨彫刻工具を第一の骨に間接に取り付ける段階を含んでいる、請求項２７に記載の彫刻方法。
【請求項３１】
骨彫刻工具を第一の骨に取り付ける段階が、骨彫刻工具を大腿骨に取り付ける段階を含んでなるものであり；
骨彫刻工具を第二の骨に整列させる段階が、骨彫刻工具を寛骨臼に配置する段階を含んでなるものであり；
第二の骨の関節接合面に係合することによって第二の骨の関節接合面を彫刻する段階が、寛骨臼の関節接合面に係合することによって寛骨臼の関節接合面を彫刻する段階を含んでなるものである；請求項２７に記載の彫刻方法。
【請求項３２】
骨彫刻工具を大腿骨に取り付ける段階が、骨彫刻工具を大腿骨に直接に取り付ける段階を含んでいる、請求項３１に記載の彫刻方法。
【請求項３３】
骨彫刻工具を大腿骨に取り付ける段階が、骨彫刻工具を大腿骨に間接に取り付ける段階を含んでいる、請求項３１に記載の彫刻方法。
【請求項３４】
骨彫刻工具を大腿骨に取り付ける段階が、骨彫刻工具を試験大腿骨に取り付ける段階と、試験大腿骨を大腿骨に設置する段階とを含んでなる、請求項３３に記載の彫刻方法。
【請求項３５】
骨彫刻工具を大腿骨に取り付ける段階が、骨彫刻工具をブローチに取り付ける段階と、ブローチを大腿骨に設置する段階とを含んでなる、請求項３３に記載の彫刻方法。
【請求項３６】
骨彫刻工具を大腿骨に取り付ける段階が、骨彫刻工具を大腿骨移植片に取り付ける段階と、大腿骨移植片を大腿骨に移植する段階とを含んでなる、請求項３３に記載の彫刻方法。
【請求項３７】
寛骨臼に係合するために骨彫刻工具を伸長させる段階と、関節をつなぐ軟組織を緊張させる段階とを更に含んでいる、請求項３１に記載の彫刻方法。
【請求項３８】
骨彫刻工具を寛骨臼内に配置する段階を容易にするために骨彫刻工具を引き込める段階を更に含んでいる、請求項３１に記載の彫刻方法。
【請求項３９】
移植片を固定するために隣接する骨の間で力を与える装置であって：
嵌入器を第一の骨に取り付けるための取付部を含んでいる嵌入器と；
第二の骨へ固定される移植片とを具備する；力を与える装置。
【請求項４０】
移植片の方向を定めるための外部整列ガイドを更に含んでいる、請求項３９に記載の装置。
【請求項４１】
第二の骨に対して移植片を位置決め及び整列するための手術用ナビゲーション装置を更に含んでいる請求項３９に記載の装置。
【請求項４２】
第二の骨に対して嵌入器を位置決め、監視、及び整列するための手術用ナビゲーション装置を更に含んでいる請求項３９に記載の装置。
【請求項４３】
取付部への取り付けのためのマウントを更に具備していて、該マウントが大腿骨への取り付けに適するようにされている、請求項３９に記載の装置。
【請求項４４】
移植片が寛骨臼シェルであり、また嵌入器が寛骨臼シェルを寛骨臼に固定するように構成されている、請求項３９に記載の装置。
【請求項４５】
寛骨臼シェルを嵌入器に取り付けるためのアダプタを更に具備している、請求項４４に記載の装置。
【請求項４６】
アダプタが寛骨臼シェルの回転を制限する、請求項４５に記載の装置。
【請求項４７】
取付部が大腿骨への直接的取り付けに適するようにされている、請求項４４に記載の装置。
【請求項４８】
取付部が大腿骨への間接的取り付けに適するようにされている、請求項４４に記載の装置。
【請求項４９】
取付部が、試験大腿骨への取り付けを介した大腿骨への間接的取り付けに適するようにされている、請求項４８に記載の装置。
【請求項５０】
取付部が、ブローチへの取り付けを介した大腿骨への間接的取り付けに適するようにされている、請求項４８に記載の装置。
【請求項５１】
取付部が、大腿骨ステムへの取り付けを介した大腿骨への間接的取り付けに適するようにされている、請求項４８に記載の装置。
【請求項５２】
嵌入器が空気圧式嵌入ハンマーである、請求項３９に記載の装置。
【請求項５３】
嵌入器がリニアアクチュエータである、請求項３９に記載の装置。
【請求項５４】
嵌入器が油圧ピストンである、請求項３９に記載の装置。
【請求項５５】
嵌入器がばね作動式のものである、請求項３９に記載の装置。
【請求項５６】
嵌入器が、各々の起動に対して単一の嵌入サイクルの起動を得るように構成されている、請求項３９に記載の装置。
【請求項５７】
嵌入器が、作動されている間に複数の嵌入サイクルの起動を得るように構成されている、請求項３９に記載の装置。
【請求項５８】
第一の骨と関節接合する第二の骨への移植片の固定方法であって：
嵌入器を準備する段階と；
嵌入器を第一の骨に取り付ける段階と；
移植片を嵌入器に設置して移植片を第二の骨に整列させる段階と；
第一の骨及び第二の骨から反作用を受ける力を移植片に与える段階と；を含んでなる移植片の固定方法。
【請求項５９】
力を付与する段階が、一つの起動サイクルにごとに一回実行される、請求項５８に記載の移植片の固定方法。
【請求項６０】
力を付与する段階が、一つの起動サイクルごとに複数回実行される、請求項５８に記載の移植片の固定方法。
【請求項６１】
手術用ナビゲーション装置を使って寛骨臼シェルを位置決めする段階、整列する段階、及び監視する段階を更に含んでなる、請求項５８に記載の移植片の固定方法。
【請求項６２】
手術用ナビゲーション装置を使って嵌入器を位置決めする段階、整列する段階、及び監視する段階を更に含んでなる、請求項５８に記載の移植片の固定方法。
【請求項６３】
嵌入器を第一の骨に取り付ける段階が、嵌入器を大腿骨に取り付ける段階を含んでなるものであり；
移植片を嵌入器に設置して移植片を第二の骨に対して整列させる段階が、寛骨臼シェルを嵌入器に設置して寛骨臼シェルを寛骨臼内に位置決めする段階を含んでなるものであり；
移植片に力を付与する段階が、寛骨臼と大腿骨とから反作用を受ける力を寛骨臼シェルに付与する段階を含んでなるものである；請求項５８に記載の移植片の固定方法。
【請求項６４】
嵌入器を大腿骨に取り付ける段階が、嵌入器を大腿骨に直接に取り付ける段階を含んでいる、請求項６３に記載の移植片の固定方法。
【請求項６５】
嵌入器を大腿骨に取り付ける段階が、嵌入器を大腿骨に間接に取り付ける段階を含んでいる、請求項６３に記載の移植片の固定方法。
【請求項６６】
嵌入器を大腿骨に取り付ける段階が、嵌入器を試験大腿骨に取り付ける段階と、試験大腿骨を大腿骨に設置する段階とを含んでなる、請求項６５に記載の移植片の固定方法。
【請求項６７】
嵌入器を大腿骨に取り付ける段階が、嵌入器をブローチに取り付ける段階と、ブローチを大腿骨に設置する段階とを含んでなる、請求項６５に記載の移植片の固定方法。
【請求項６８】
嵌入器を大腿骨に取り付ける段階が、嵌入器を大腿骨移植片に取り付ける段階と、大腿骨移植片を大腿骨に移植する段階とを含んでなる、請求項６５に記載の移植片の固定方法。
【請求項６９】
普段は第一の骨と関節接合している第二の骨の関節接合面の最小侵襲性彫刻及び置換システムであって：
骨彫刻工具を具備する骨彫刻装置であって、前記骨彫刻工具が、第二の骨の関節接合面を彫刻するための位置で骨彫刻工具を第一の骨に取り付けるための取付部を含んでいる、骨彫刻装置と；
第一の骨と第二の骨との間で力を提供するための嵌入装置であって、嵌入器を具備していて、該嵌入器が、第一の骨に嵌入器を取り付けるための嵌入取付部を含んでいる、嵌入装置と；を具備する最小侵襲性彫刻及び置換システム。
【請求項７０】
嵌入装置が移植片を取り付けるためのアダプタを更に具備する、請求項６９に記載の最小侵襲性彫刻及び置換システム。
【請求項７１】
全てが単一の装置として構成された、可視化装置と洗浄装置と吸引装置とを更に含んでいる、請求項６９に記載の最小侵襲性彫刻及び置換システム。
【請求項７２】
光源と画像化基部と撮像装置と表示装置とを具備している可視化装置をさらに具備している、請求項６９に記載の最小侵襲性彫刻及び置換システム。
【請求項７３】
可視化装置が監視装置を更に含んでいる、請求項７１に記載の最小侵襲性彫刻及び置換システム。
【請求項７４】
画像化基部が、骨彫刻装置の取付部への取り付けのために構成されているマウントに一体化されていて、マウントが第一の骨に取り付け可能である、請求項７２に記載の最小侵襲性彫刻及び置換システム。
【請求項７５】
画像化基部に一体化された洗浄装置を更に含んでいる、請求項７２に記載の最小侵襲性彫刻及び置換システム。
【請求項７６】
画像化基部に一体化された吸引装置を更に含んでいる、請求項７２に記載の最小侵襲性彫刻及び置換システム。
【請求項７７】
画像化基部に一体化された洗浄装置と吸引装置とを更に含んでいる、請求項７２に記載の最小侵襲性彫刻及び置換システム。
【請求項７８】
洗浄装置を更に含んでいる、請求項６９に記載の最小侵襲性彫刻及び置換システム。
【請求項７９】
吸引装置を更に含んでいる、請求項６９に記載の最小侵襲性彫刻及び置換システム。
【請求項８０】
移植片を位置決め、整列、及び監視するための手術用ナビゲーション装置を更に含んでいる、請求項６９に記載の最小侵襲性彫刻及び置換システム。
【請求項８１】
嵌入器を位置決め、整列、及び監視するための手術用ナビゲーション装置を更に含んでいる、請求項６９に記載の最小侵襲性彫刻及び置換システム。
【請求項８２】
普段は第一の骨と関節接合している第二の骨の関節接合面の、手術サイトにおける彫刻方法であって：
骨彫刻工具を準備する段階と；
骨彫刻工具を第一の骨に取り付ける段階と；
骨彫刻工具を第二の骨に整列させて、骨彫刻工具を第二の骨の関節接合面に係合させることによって第二の骨の関節接合面を彫刻する段階と；
移植片を準備する段階と；
第一の骨に取り付くように構成された嵌入器を具備する嵌入装置を準備する段階と；
嵌入装置を第一の骨に取り付ける段階と；
移植片を嵌入装置に配置して、移植片を第二の骨に固定するために、第二の骨と第一の骨から反作用を受ける力を移植片に付与する段階と；を含んでなる彫刻方法。
【請求項８３】
可視化装置、洗浄装置、及び吸引装置を含む監視装置を更に含んでいる、請求項８２に記載の彫刻方法。
【請求項８４】
光源と画像化基部と撮像装置と表示装置とを具備している可視化装置を準備する段階と、可視化装置を使って手術サイトを可視化する段階とを更に含んでなる、請求項８２に記載の彫刻方法。
【請求項８５】
洗浄装置及び吸引装置を準備する段階と、洗浄装置及び吸引装置を使用して手術サイトの骨のくずと血液とを一掃する段階とを更に含んでなる、請求項８２に記載の彫刻方法。
【請求項８６】
洗浄装置及び吸引装置を使用してサイトの骨のくずと血液とを一掃する段階を更に含んでなる、請求項８２に記載の彫刻方法。
【請求項８７】
手術用ナビゲーション装置を使って移植片を位置決めする段階、整列する段階、及び監視する段階を更に含んでなる、請求項８２に記載の彫刻方法。
【請求項８８】
手術用ナビゲーション装置を使って嵌入器を位置決めする段階、整列する段階、及び監視する段階を更に含んでなる、請求項８２に記載の彫刻方法。
【請求項８９】
骨彫刻工具を第一の骨に取り付ける段階が、骨彫刻工具を大腿骨に取り付ける段階を含んでなるものであり；
骨彫刻工具を第二の骨に整列させて第二の骨の関節接合面を彫刻する段階が、骨彫刻工具を寛骨臼内に配置して、寛骨臼の関節接合面を彫刻する段階を含んでなるものであり；
嵌入装置マウントを第一の骨に取り付ける段階が、嵌入装置マウントを大腿骨に取り付ける段階を含んでなるものであり；
移植片に力を付与する段階が、寛骨臼シェルを寛骨臼に固定するために、寛骨臼及び大腿骨から反作用を受ける力を寛骨臼シェルに付与する段階を含んでなるものである；請求項８２に記載の彫刻方法。